(57)【要約】【課題】  光ディスクの質量が大きい場合であっても、光ディスクの回転の立ち上げ時に、光ディスクの回転数を所定回転数に早く到達させて再生動作に移行させることができるようにする。【解決手段】  所定時間毎の光ディスクの回転数の変化を検出し、検出された所定時間毎の光ディスクの回転数の変化から光ディスクの回転速度の加速度を算出して、算出された光ディスクの回転速度の加速度と基準光ディスクの回転速度の加速度との差に基づいて光ディスクの質量が基準光ディスクの質量より大きいか否かを判別し、光ディスクの質量が基準光ディスクの質量より大きいと判別された場合、スピンドルモータの駆動電圧を上げるようにする。【選択図】        図２
2007102951.tif 000002
【特許請求の範囲】
【請求項１】
光ディスクに情報データを記録再生するディスク装置であって、
所定時間毎の光ディスクの回転数の変化を検出する回転数検出手段と、前記回転数検出手段により検出された所定時間毎の光ディスクの回転数の変化から光ディスクの回転速度の加速度を算出する算出手段と、前記算出手段により算出された光ディスクの回転速度の加速度と基準光ディスクの回転速度の加速度との差に基づいて光ディスクの質量が基準光ディスクの質量より大きいか否かを判別する判別手段と、前記判別手段により光ディスクの質量が基準光ディスクの質量より大きいと判別された場合、前記算出手段により算出された光ディスクの回転速度の加速度と基準光ディスクの回転速度の加速度との差に基づいてスピンドルモータの駆動電圧を光ディスクの質量に応じた第１の所定電圧に上げる第１の制御手段と、光ディスクの回転数が所定回転数に到達したとき、前記算出手段により算出された光ディスクの回転速度の加速度と基準光ディスクの回転速度の加速度との差に基づいてスピンドルモータの駆動電圧を光ディスクの質量に応じた第２の所定電圧に下げて、光ディスクを所定回転数で回転させる第２の制御手段とを備えたことを特徴とするディスク装置。
【請求項２】
光ディスクに情報データを記録再生するディスク装置であって、
所定時間毎の光ディスクの回転数の変化を検出する回転数検出手段と、前記回転数検出手段により検出された所定時間毎の光ディスクの回転数の変化から光ディスクの回転速度の加速度を算出する算出手段と、前記算出手段により算出された光ディスクの回転速度の加速度と基準光ディスクの回転速度の加速度との差に基づいて光ディスクの質量が基準光ディスクの質量より大きいか否かを判別する判別手段と、前記判別手段により光ディスクの質量が基準光ディスクの質量より大きいと判別された場合、スピンドルモータの駆動電圧を上げる第１の制御手段とを備えたことを特徴とするディスク装置。
【請求項３】
前記第１の制御手段は、前記判別手段により光ディスクの質量が基準光ディスクの質量より大きいと判別された場合、前記算出手段により算出された光ディスクの回転速度の加速度と基準光ディスクの回転速度の加速度との差に基づいてスピンドルモータの駆動電圧を光ディスクの質量に応じた第１の所定電圧に上げる制御手段であることを特徴とする請求項２記載のディスク装置。
【請求項４】
光ディスクの回転数が所定回転数に到達したとき、スピンドルモータの駆動電圧を下げて、光ディスクを所定回転速度で回転させる第２の制御手段を更に備えたことを特徴とする請求項２記載のディスク装置。
【請求項５】
前記第２の制御手段は、前記算出手段により算出された光ディスクの回転速度の加速度と基準光ディスクの回転速度の加速度との差に基づいてスピンドルモータの駆動電圧を光ディスクの質量に応じた第２の所定電圧に下げて、光ディスクを所定回転速度で回転させる制御手段であることを特徴とする請求項３記載のディスク装置。
【発明の詳細な説明】
【技術分野】
【０００１】
本発明は、光ディスクに情報データを記録再生するディスク装置に係り、特にディスク装置に装着された光ディスクの質量が大きい場合であっても、光ディスクの回転を早く立ち上げて再生動作に移行させることができるディスク装置に関する。
【背景技術】
【０００２】
一般に、市販されているＤＶＤ（Ｄｉｇｉｔａｌ  Ｖｅｒｓａｔｉｌｅ  Ｄｉｓｋ）、ＣＤ（Ｃｏｍｐａｃｔ  Ｄｉｓｋ）等の光ディスクには、直径が１２ｃｍのものと直径が８ｃｍのものとがあり、規格を満たすものであっても、光ディスクの種類や材質（ポリカーボネート（ｐｏｌｙｃａｒｂｏｎａｔｅ）、ＰＭＭＡ（ｐｏｌｙｍｅｔｈｙｌｍｅｔａｃｒｙｌａｔｅ））等により質量にばらつきがある。また、市販されている光ディスクの中には規格外のものもある。また、ユーザが光ディスクを識別するために光ディスクにラベルを貼付したりすると、ラベルの質量のために光ディスクの質量が大きくなる。図４は光ディスクの質量による光ディスクの回転数の変化を示す説明図である。光ディスクを回転させるスピンドルモータに一定電圧Ｖ１を印加して、光ディスクの回転を立ち上げると、図４に示すように、基準光ディスクＡより質量が大きい光ディスクＢの回転の立ち上げ時間は、基準光ディスクＡの回転の立ち上げ時間より遅くなる。そのため、光ディスクに記録された情報データを再生する際に、ディスク装置に装着された光ディスクの質量が大きい場合、光ディスクの回転の立ち上げ時に、光ディスクの回転数が所定回転数Ｒ０に到達するまでに時間がかかり、光ディスクの再生を開始するまでに時間がかかるという問題点があった。
背景技術としては、スピンドルモータの回転の立ち上げから回転が安定するまでの時間を計測し、計測された時間と基準時間との差に基づいて光ディスクの重さを判定し、光ディスクが基準ディスクより重いかまたは軽い場合、光ディスク読み込み速度を基準回転数からの誤差の許容範囲内の読み込み速度となるように設定するようにしたものがあった（例えば、特許文献１参照）。
また、光ディスクの回転の立ち上げ時に、スピンドルモータの回転数を検出して、検出結果に基づいて回転数の変動分を算出して光ディスクの重量比を割り出し、光ディスクの重量比に見合ったサーボゲインを設定するようにしたものがあった（例えば、特許文献２参照）。
また、光ディスクの重量係数を測定して、測定結果に基づいてスピンドルモータに印加する逆方向電圧の印加電圧及び印加時間を決定し、スピンドルモータに逆方向電圧を印加して光ディスクの回転を減速又は停止させるようにしたものがあった（例えば、特許文献３参照）。
【特許文献１】特開２００４−３１０８４６号公報
【特許文献２】特開平１０−２９３９６０号公報
【特許文献３】特開２００１−１５５４１７号公報
【発明の開示】
【発明が解決しようとする課題】
【０００３】
しかしながら、背景技術で述べたもののうち最初のものにおいては、スピンドルモータの回転の立ち上げから回転が安定するまでの時間を計測し、計測された時間と基準時間との差に基づいて光ディスクの重さを判定し、光ディスクが基準ディスクより重いかまたは軽い場合、光ディスク読み込み速度を基準回転数からの誤差の許容範囲内の読み込み速度となるように設定することができたが、光ディスクの再生動作を開始する前に、光ディスクの重さが基準ディスクより重いかまたは軽いかを確認して、光ディスクの読み込み速度を装着された光ディスクに適した読み込み速度に設定するようにしたものであって、上記問題点を解決するようにしたものではなかった。
また、次のものにおいては、光ディスクの回転の立ち上げ時に、スピンドルモータの回転数を検出して、検出結果に基づいて回転数の変動分を算出して光ディスクの重量比を割り出し、光ディスクの重量比に見合ったサーボゲインを設定することができたが、光ディスクの重量に見合った必要最小限の消費電流でスピンドルモータを駆動するようにしたものであって、上記問題点を解決するようにしたものではなかった。
また、更にその次のものにおいては、光ディスクの重量係数を測定して、測定結果に基づいてスピンドルモータに印加する逆方向電圧の印加電圧及び印加時間を決定し、スピンドルモータに逆方向電圧を印加して光ディスクの回転を減速又は停止させることができたが、光ディスクの重量のばらつき、スピンドルモータの駆動電圧の電源電圧のばらつき、スピンドルモータのばらつきを吸収して、光ディスクの回転を停止させるようにしたものであって、上記問題点を解決するようにしたものではなかった。
本発明は、背景技術の有するこのような問題点に鑑みてなされたものであり、その目的とするところは、光ディスクの質量が大きい場合であっても、光ディスクの回転の立ち上げ時に、光ディスクの回転数を所定回転数に早く到達させて再生動作に移行させることができるディスク装置を提供しようとするものである。
【課題を解決するための手段】
【０００４】
上記目的を達成するため本発明においては、光ディスクに情報データを記録再生するディスク装置であって、所定時間毎の光ディスクの回転数の変化を検出する回転数検出手段と、前記回転数検出手段により検出された所定時間毎の光ディスクの回転数の変化から光ディスクの回転速度の加速度を算出する算出手段と、前記算出手段により算出された光ディスクの回転速度の加速度と基準光ディスクの回転速度の加速度との差に基づいて光ディスクの質量が基準光ディスクの質量より大きいか否かを判別する判別手段と、前記判別手段により光ディスクの質量が基準光ディスクの質量より大きいと判別された場合、スピンドルモータの駆動電圧を上げる第１の制御手段とを備える。
前記第１の制御手段は、前記判別手段により光ディスクの質量が基準光ディスクの質量より大きいと判別された場合、前記算出手段により算出された光ディスクの回転速度の加速度と基準光ディスクの回転速度の加速度との差に基づいてスピンドルモータの駆動電圧を光ディスクの質量に応じた第１の所定電圧に上げるようにするとよい。
更に、  光ディスクの回転数が所定回転数に到達したとき、スピンドルモータの駆動電圧を下げて、光ディスクを所定回転速度で回転させる第２の制御手段を備える。
前記第２の制御手段は、前記算出手段により算出された光ディスクの回転速度の加速度と基準光ディスクの回転速度の加速度との差に基づいてスピンドルモータの駆動電圧を光ディスクの質量に応じた第２の所定電圧に下げて、光ディスクを所定回転速度で回転させるようにするとよい。
これらの手段により、光ディスクの質量が大きい場合であっても、光ディスクの回転の立ち上げ時に、光ディスクの回転数を所定回転数に早く到達させて再生動作に移行させることができる。
【発明の効果】
【０００５】
請求項１記載の発明に係るディスク装置によれば、所定時間毎の光ディスクの回転数の変化を検出し、検出された所定時間毎の光ディスクの回転数の変化から光ディスクの回転速度の加速度を算出して、算出された光ディスクの回転速度の加速度と基準光ディスクの回転速度の加速度との差に基づいて光ディスクの質量が基準光ディスクの質量より大きいか否かを判別し、光ディスクの質量が基準光ディスクの質量より大きいと判別された場合、算出された光ディスクの回転速度の加速度と基準光ディスクの回転速度の加速度との差に基づいてスピンドルモータの駆動電圧を光ディスクの質量に応じた第１の所定電圧に上げ、光ディスクの回転数が所定回転数に到達したとき、算出された光ディスクの回転速度の加速度と基準光ディスクの回転速度の加速度との差に基づいてスピンドルモータの駆動電圧を光ディスクの質量に応じた第２の所定電圧に下げて、光ディスクを所定回転数で回転させるようにしているので、光ディスクの質量が基準光ディスクの質量より大きい場合、光ディスクの立ち上げ時に、スピンドルモータの駆動電圧を上げて光ディスクの回転速度の加速度を上げ、光ディスクの回転数を所定回転数に早く到達させて再生動作に移行させることができ、光ディスクの回転数が所定回転数に到達した後、光ディスクの回転数が所定回転数になるようにスピンドルモータの駆動電圧を下げて、光ディスクを所定回転数で回転させることができる。
請求項２記載の発明に係るディスク装置によれば、所定時間毎の光ディスクの回転数の変化を検出し、検出された所定時間毎の光ディスクの回転数の変化から光ディスクの回転速度の加速度を算出して、算出された光ディスクの回転速度の加速度と基準光ディスクの回転速度の加速度との差に基づいて光ディスクの質量が基準光ディスクの質量より大きいか否かを判別し、光ディスクの質量が基準光ディスクの質量より大きいと判別された場合、スピンドルモータの駆動電圧を上げるようにしているので、光ディスクの質量が基準光ディスクの質量より大きい場合、光ディスクの立ち上げ時に、スピンドルモータの駆動電圧を上げて光ディスクの回転速度の加速度を上げ、光ディスクの回転数を所定回転数に早く到達させることができる。
請求項３記載の発明に係るディスク装置によれば、光ディスクの質量が基準光ディスクの質量より大きいと判別された場合、算出された光ディスクの回転速度の加速度と基準光ディスクの回転速度の加速度との差に基づいてスピンドルモータの駆動電圧を光ディスクの質量に応じた第１の所定電圧に上げるようにしているので、光ディスクの質量が基準光ディスクの質量より大きい場合、光ディスクの立ち上げ時に、スピンドルモータの駆動電圧を光ディスクの質量に応じた電圧に上げて光ディスクの回転速度の加速度を上げ、光ディスクの回転数を所定回転数に早く到達させることができる。
請求項４記載の発明に係るディスク装置によれば、光ディスクの回転数が所定回転数に到達したとき、スピンドルモータの駆動電圧を下げて、光ディスクを所定回転数で回転させるようにしているので、光ディスクの回転数が所定回転数に到達した後、光ディスクの回転数が所定回転数になるようにスピンドルモータの駆動電圧を下げて光ディスクを所定回転数で回転させることができる。
請求項５記載の発明に係るディスク装置によれば、算出された光ディスクの回転速度の加速度と基準光ディスクの回転速度の加速度との差に基づいてスピンドルモータの駆動電圧を光ディスクの質量に応じた第２の所定電圧に下げて、光ディスクを所定回転数で回転させるようにしているので、光ディスクの回転数が所定回転数に到達した後、光ディスクの回転数が所定回転数になるようにスピンドルモータの駆動電圧を光ディスクの質量に応じた電圧に下げて、光ディスクを所定回転数で回転させることができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置の動作を示す説明図であり、図３は本発明の一実施例のディスク装置の動作を示すフローチャートである。
まず、図１の本発明の一実施例のディスク装置の構成を示すブロック図を基に説明する。
ディスク装置１は、光ディスク２の記録面にレーザ光を照射してその反射光を検出し、光ディスク２に記録された情報データを読み出す光ピックアップ３と、光ディスク２を回転させるスピンドルモータ４と、モータ駆動ＩＣ５ａによりスピンドルモータ４を駆動して光ディスク２の回転速度をサーボ制御するスピンドルサーボ回路５と、光ピックアップ３を光ディスク２の半径方向にスレッド移動させるスレッドモータ６と、スレッドモータ６の回転方向と回転速度とをサーボ制御するスレッドサーボ回路７と、光ピックアップ３により検出されたトラッキング誤差信号に基づいて光ピックアップ３のトラッキングをサーボ制御するトラッキングサーボ回路８と、光ピックアップ３により検出されたフォーカス誤差信号に基づいて光ピックアップ３のフォーカスをサーボ制御するフォーカスサーボ回路９と、光ピックアップ３により読み出された情報データのＲＦ（Ｒａｄｉｏ  Ｆｒｅｑｕｅｎｃｙ）信号を増幅するＲＦ増幅回路１０と、ＲＦ増幅回路１０により増幅された情報データのＲＦ信号を基準クロックに基づいて同期検出して復調し、復調された情報データの誤りを訂正して、所定の圧縮方式に基づいて圧縮された情報データを伸張して復号し、光ディスク２に記録された情報データを再生する信号処理回路１１と、スピンドルモータ４の回転に応じて発生するＦＧ（Ｆｒｅｑｕｅｎｃｙ  Ｇｅｎｅｒａｔｏｒ）信号を検出して光ディスク２の回転数を検出する回転数検出回路１２と、ディスク装置１のシステム全体を制御するマイコン１３と、リモコン装置２０から送信された赤外線信号のリモコン信号を受信して、所定の電気信号に変換するリモコン受信部１４とで構成されている。
以上のように構成されたディスク装置について、以下その動作について説明する。
リモコン装置２０のキー操作によりディスク装置１に装着された光ディスク２の再生が指令されると、マイコン１３は、スピンドルサーボ回路５に制御信号を送出してモータ駆動ＩＣ５ａを制御し、スピンドルモータ４に一定電圧Ｖ１を印加して光ディスク２の回転を立ち上げる（図２（ａ）参照）。光ディスク２の回転を立ち上げると、マイコン１３は、回転数検出回路１２によりスピンドルモータ４の回転に応じて発生するＦＧ信号を検出して光ディスク２の回転数を検出し、所定時間毎の光ディスク２の回転数の変化を検出して、回転数検出回路１２により検出された所定時間毎の光ディスク２の回転数の変化から光ディスク２の回転速度の加速度を算出する。そして、マイコン１３は、算出された光ディスク２の回転速度の加速度と一定電圧Ｖ１をスピンドルモータ４に印加したときの基準光ディスクの回転速度の加速度との差に基づいて光ディスク２の質量が基準光ディスクの質量より大きいか否かを判別する。ディスク装置１に装着された光ディスク２の質量が基準光ディスクの質量より大きい場合、光ディスク２の回転速度の加速度は、基準光ディスクの回転速度の加速度より小さくなり、光ディスク２の回転が所定回転数に到達するまでの時間が基準ディスクの回転が所定回転数に到達するまでの時間より遅くなる。
光ディスク２の質量が基準光ディスクの質量より大きい場合、マイコン１３は、ディスク装置１に装着された光ディスク２の回転数が所定回転数Ｒ０に到達するまでの時間を所定時間以内に短縮するために、ディスク装置１に装着された光ディスク２の回転速度の加速度と基準光ディスクの回転速度の加速度との差に基づいて、スピンドルサーボ回路５に制御信号を送出してモータ駆動ＩＣ５ａを制御し、スピンドルモータ４の駆動電圧を光ディスク２の質量に応じた所定電圧Ｖ２に上げる（図２（ａ）参照）。光ディスク２を回転させるスピンドルモータ４の駆動電圧が所定電圧Ｖ２に上げられると、ディスク装置１に装着された光ディスク２の回転速度の加速度が大きくなり、光ディスク２の回転数が所定回転数に到達するまでの時間が短縮される（図２（ｂ）参照）。
ディスク装置１に装着された光ディスク２の回転数が所定回転数に到達すると（図２（ｂ）参照）、マイコン１３は、ディスク装置１に装着された光ディスク２の回転速度の加速度と基準光ディスクの回転速度の加速度との差に基づいて、スピンドルサーボ回路５に制御信号を送出してモータ駆動ＩＣ５ａを制御し、スピンドルモータ４の駆動電圧を光ディスク２の質量に応じた所定電圧Ｖ３に下げて、光ディスク２を所定回転速度で回転させ（図２（ａ）参照）、スレッドサーボ回路７に制御信号を送出して、スレッドモータ６を駆動して光ピックアップ３を光ディスク２の半径方向にスレッド移動させ、光ピックアップ３により光ディスク２に記録された情報データを読み出して再生する。これにより、ディスク装置に装着された光ディスクの質量が大きい場合であっても、光ディスクの回転を早く立ち上げて再生動作に移行させることができる。
また、図３の本発明の一実施例のディスク装置の動作を示すフローチャートを基に説明する。
リモコン装置のキー操作により光ディスクの再生が指令されると、ステップＳ１からステップＳ２に進み、ステップＳ２で、スピンドルモータに一定電圧Ｖ１が印加されてディスク装置に装着された光ディスクの回転が立ち上げられ、光ディスクの回転の立ち上げ時の所定時間毎の光ディスクの回転数の変化が検出されて、所定時間毎の光ディスクの回転数の変化から光ディスクの回転速度の加速度が算出され、ステップＳ３に進む。
ステップＳ３で、算出された光ディスクの回転速度の加速度と基準光ディスクの回転速度の加速度との差に基づいてディスク装置に装着された光ディスクの質量が基準光ディスクの質量より大きいか否かが判断され、ディスク装置に装着された光ディスクの質量が基準光ディスクの質量より大きい場合、ステップＳ４に進み、ディスク装置に装着された光ディスクの質量が基準光ディスクの質量より大きくない場合、ステップＳ５に進む。
ステップＳ４で、ディスク装置に装着された光ディスクの回転速度の加速度と基準光ディスクの回転速度の加速度との差に基づいてスピンドルモータの駆動電圧がディスク装置に装着された光ディスクの質量に応じた所定電圧Ｖ２に上げられて、ステップＳ５に進む。
ステップＳ５で、光ディスクの回転数が所定回転数Ｒ０に到達したか否かが判断され、光ディスクの回転数が所定回転数Ｒ０に到達した場合、ステップＳ６に進み、光ディスクの回転数が所定回転数Ｒ０に到達していない場合、ステップＳ５のステップを繰り返す。
ステップＳ６で、ディスク装置に装着された光ディスクの回転速度の加速度と基準光ディスクの回転速度の加速度との差に基づいてスピンドルモータの駆動電圧が光ディスクの質量に応じた所定電圧Ｖ３に下げられて、光ディスクが所定回転速度で回転され、ステップＳ７に進んで処理を終了する。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク装置の構成を示すブロック図である。
【図２】本発明の一実施例のディスク装置の動作を示す説明図である。
【図３】本発明の一実施例のディスク装置の動作を示すフローチャートである。
【図４】光ディスクの質量による光ディスクの回転数の変化を示す説明図である。
【符号の説明】
【０００８】
１  ディスク装置
２  光ディスク
３  光ピックアップ
４  スピンドルモータ
５  スピンドルサーボ回路
５ａ  モータ駆動ＩＣ
６  スレッドモータ
７  スレッドサーボ回路
８  トラッキングサーボ回路
９  フォーカスサーボ回路
１０  ＲＦ増幅回路
１１  信号処理回路
１２  回転数検出回路
１３  マイコン
１４  リモコン受信部
２０  リモコン装置
【図１】
2007102951.tif 000003
【図２】
2007102951.tif 000004
【図３】
2007102951.tif 000005
【図４】
2007102951.tif 000006